(57)【要約】【課題】ＤＣモータによる電気ノイズ及び周囲の照明装置の熱による制御基板への影響を低減するシーリングファンを提供することを目的とする。【解決手段】制御基板１３は、ファン１２を挟んでＤＣモータ１１の下方に設置されることにより、ＤＣモータ１１の電気ノイズの影響を受けない。また、ファン１２の固定部分１７に設けられた板状の突起１８により、空気の対流を生じさせることができ、制御基板１３の周囲の温度の上昇を防ぐことができる。【選択図】図２
2008297939.tif 000002
【特許請求の範囲】
【請求項１】
ＤＣモータと、前記ＤＣモータに固定されて回転するファンと、前記ＤＣモータを制御する制御基板とを備えたＤＣモータシーリングファンにおいて、
前記制御基板は、前記ＤＣモータとの連結部を介した位置に配置された
ことを特徴とするＤＣモータシーリングファン。
【請求項２】
前記制御基板は、前記ＤＣモータと前記制御基板の間に前記ファンの固定部分がある位置に配置されたことを特徴とする請求項１記載のＤＣモータシーリングファン。
【請求項３】
前記制御基板は複数枚により構成され、当該複数枚の制御基板は、上下に配置されていることを特徴とする請求項１又は２記載のＤＣモータシーリングファン。
【請求項４】
前記ファンの固定部分には、下方に突出した突起が設けられており、前記制御基板は、前記制御基板の周囲を覆う第１のカバーと、空気の通路を確保する第２のカバーで覆われていることを特徴とする請求項１乃至３のうちいずれか１項に記載のＤＣモータシーリングファン。
【請求項５】
前記第１のカバーと前記第２のカバーのうち少なくとも一方は金属製であることを特徴とする請求項４記載のＤＣモータシーリングファン。
【発明の詳細な説明】
【技術分野】
【０００１】
本発明は、天井に取り付けられて室内の空気を循環させるシーリングファンに関するものである。
【背景技術】
【０００２】
従来、室内の空気を循環させることにより、冷房及び暖房の効率を高めるためにシーリングファンが用いられている。シーリングファンは、そのファンを回転させることにより室内に空気の対流を生じさせ、室内の温度を均一化させることにより冷暖房の効率を上げることができる。
【０００３】
ここで、シーリングファンにはＤＣモータがその駆動モータとして使われているが、ＤＣモータを制御する際には制御基板が必要となる。また、シーリングファンは、室内の天井に設けられるため、デザイン性が求められるとともに、その外観形状をスリムに保つためにシーリングファン本体の小型化が図られている。そのため、ＤＣモータと、それを制御する回路部品を搭載したプリント基板が近接して搭載されることとなっていた（特許文献１参照）。
【特許文献１】特開２００６−２１９９９８号公報
【発明の開示】
【発明が解決しようとする課題】
【０００４】
しかし、ＤＣモータに近接した形でプリント基板を配置することにより、ＤＣモータの電気ノイズが制御基板上の部品に影響を与えることがあり、この電気ノイズを考慮した回路設計が必要とされていた。
【０００５】
また、ＤＣモータに近い位置に制御基板がある場合には、その制御基板に沿うようにカバーを設置することとなる。シーリングファンは照明装置とともに用いられることが多いため、周囲に設置される照明装置の熱は、制御基板に沿うように設置されたカバーを介して制御基板に容易に伝わる。これにより、制御基板の周囲温度が上昇し、制御基板の寿命に影響を与えていた。さらに、ＤＣモータに近接した形で制御基板を設置しつつ外形寸法をスリムに保つためには、小型のモータが必要とされていた。
【０００６】
本発明は、ＤＣモータによる電気ノイズ及び周囲の照明装置等の熱による制御基板への影響を低減するシーリングファンを提供することを目的とする。
【課題を解決するための手段】
【０００７】
本発明におけるＤＣモータシーリングファンは、ＤＣモータと、前記ＤＣモータに固定されて回転するファンと、前記ＤＣモータを制御する制御基板とを備えたＤＣモータシーリングファンにおいて、前記制御基板は、前記ＤＣモータとの連結部を介した位置に配置されたことを特徴とする。
【０００８】
本発明におけるＤＣモータシーリングファンによれば、ＤＣモータから離れた位置に制御基板が配置されることとなり、ＤＣモータによる電気ノイズの影響を低減することができる。
【０００９】
本発明におけるＤＣモータシーリングファンの制御基板は、前記ＤＣモータと前記制御基板の間に前記ファンの固定部分がある位置に配置されていても良い。また、本発明におけるＤＣモータシーリングファンの制御基板は複数枚により構成され、当該複数枚の制御基板は、上下に配置されていても良い。これにより、ＤＣモータシーリングファンの外形寸法を小さくすることができる。
【００１０】
本発明におけるＤＣモータシーリングファンの制御基板は、制御基板の周囲を覆う第１のカバーと、空気の通路を確保する第２のカバーで覆われていても良く、ファンの固定部分には、下方に突出した突起が設けられていてもよい。この突起により、第１のカバーと第２のカバーの隙間に空気の対流を生じさせ、制御基板の周囲を放熱することができ、シーリングファンとともに設けられることの多い照明装置の熱による影響を低減することができる。そして、第１のカバーと第２のカバーのうち少なくとも一方は金属製であっても良い。これにより、衝撃に強くなり、また、ＤＣモータからの電気ノイズの影響をさらに低減することができる。
【発明の効果】
【００１１】
本発明によれば、ＤＣモータによる電気ノイズ及び周囲の照明装置等の熱による制御基板への影響を低減するシーリングファンを提供することができる。
【発明を実施するための最良の形態】
【００１２】
次に、本発明に係るＤＣモータシーリングファンの実施の形態を図面に基づいて説明する。
【００１３】
図１は、本実施の形態に係るＤＣモータシーリングファンを示す斜視図である。
【００１４】
本実施の形態において、天井１に取り付け部２を介してアーム３が取り付けられており、このアーム３の先端にＤＣモータシーリングファン本体１０が取り付けられている。ＤＣモータシーリングファン本体１０の内部には、図１には図示しないＤＣモータが格納されており、このＤＣモータに固定されて回転するファン１２が取り付けられている。
【００１５】
図２は、本実施の形態に係るＤＣモータシーリングファンを示す断面図である。本実施の形態において、ＤＣモータシーリングファン本体１０は、ＤＣモータ１１と、ファン１２と、制御基板１３を有している。本実施の形態においては、制御基板１３は制御基板１３Ａと制御基板１３Ｂの２枚に分けられ、上下に位置するように重ねられて設けられている。また、制御基板１３の周囲には第１の制御基板カバー１４が設置されており、その外側に第１のカバー１４との間に空気の通路を確保するような隙間をあけて第２の制御基板カバー１５が設置されている。また、第２の制御基板カバー１５は、空気の流出口となる開口部１６を有している。本実施の形態においては、第２の制御基板カバー１５は金属製である。そして、ファンの固定部分１７には、下方に突出した板状の突起１８が設けられている。
【００１６】
図２に示すように、制御基板１３は、ＤＣモータ１１との間に連結部１９が介在し、ファン１２の固定部分１７を挟んでＤＣモータ１１よりも下方の位置に設置されている。このように設置することにより、ＤＣモータ１１と制御基板１３が離れて位置することとなり、ＤＣモータ１１の電気ノイズの影響を低減することができる。電気ノイズの影響を考慮に入れた回路設計をする必要がなくなるため、制御基板の設計の自由度が向上する。
【００１７】
また、制御基板１３を制御基板１３Ａ及び制御基板１３Ｂの２枚に分けて上下方向に重ねて設置することにより、制御基板１３の設置面積が少なくてすみ、そのため、その周囲を第１の制御基板カバー１４と金属製である第２の制御基板カバー１５の２つによって、二重に覆うことができる。素材に金属を用いたカバーを設けることでシールド効果が高められ、ＤＣモータ１１からの電気ノイズをさらに低減することができる。また、金属カバーであるため、制御基板１３が外部からの衝撃により損傷することを防ぐことができる。
【００１８】
ＤＣモータシーリングファン本体１０は、図示しない照明装置とともに用いられることがあり、係る照明装置の発する熱により制御基板１３の周囲の温度が上昇する。制御基板１３上に載置された部品は、この熱により影響を受けることがある。本実施の形態において、制御基板１３を覆うカバーは２枚であり、その間に隙間が生じるように構成されている。この隙間により、照明装置との間に幅ができ、その熱による影響を低減することができる。
【００１９】
図３は、本実施の形態に係るファン及びファンの固定部分に設けられた突起を示す斜視図である。
【００２０】
ここで、ファン１２の固定部分１７に設けられ下方に突出した板状の突起１８は、ファンの回転に伴い回転する。突起１８は板状に形成されており、この回転によって下部に向けて空気の対流を生じさせる。この空気の対流により、図２の矢印に示すように、ファン１２と第２の制御基板カバー１５の隙間から空気が流入し、第１の制御基板カバー１４と第２の制御基板カバー１５の間の隙間を通り、第２の制御基板カバー１５に設けられた開口部１６から流出する空気の流れを作ることができる。このような空気の対流を生じさせることにより、第１の制御基板カバー１４と第２の制御基板カバー１５の隙間の熱が放熱され、制御基板１３の周囲の温度が上昇することを防ぐことができる。制御基板１３は、周囲に設置される照明装置のみならず、制御基板に載置される部品自体の発する熱によっても、周囲の温度が上昇するが、この空気の対流により、効率的に放熱することができ、制御基板上の部品が熱による影響を受けることがない。
【００２１】
このように、本実施の形態におけるＤＣモータシーリングファンによれば、制御基板がＤＣモータによる電気ノイズ及び照明装置等による熱の影響を受けることのないシーリングファンを提供することができる。また、制御基板がモータと離れた位置に設置されており、モータの外形に近いスリムなシーリングファンが提供できる。シーリングファンの本体がスリムになることにより、ファンの発生させる空気の対流を阻害することがなく、シーリングファンの効果が適切に発揮される。
【００２２】
以上、本発明の実施の形態を説明したが、本発明はこれらに限定されるものではなく、発明の趣旨を逸脱しない範囲内において、種々の変更、追加等が可能である。
【００２３】
上記の実施の形態においては、金属製のカバーは１枚であったが、第１の制御基板カバーも金属とすることによって、シールド効果を高め、ＤＣモータの電気ノイズの影響をより低減することができる。
【００２４】
また、上記の実施の形態において、ファンに設けられた突起はファンの固定部分に設けられていたが、これはファンの固定部分に限定されるものではなく、ＤＣモータの回転に伴って回転し、空気の対流を生じさせるものであれば良い。また、突起の形状は板状に限らず、下方に向かって空気の対流を生じさせることができれば三角の形状でも良いし、角度を持たせて形成されていても良い。
【図面の簡単な説明】
【００２５】
【図１】本発明の実施の形態に係るＤＣモータシーリングファンの斜視図である。
【図２】本発明の実施の形態に係るＤＣモータシーリングファンの断面図である。
【図３】本発明の実施の形態に係るファン及びファンの固定部分に設けられた突起を示す斜視図である。
【符号の説明】
【００２６】
１・・・天井、  ２・・・取り付け部、  ３・・・アーム、  １０・・・ＤＣモータシーリングファン本体、  １１・・・ＤＣモータ、  １２・・・ファン、  １３・・・制御基板、  １４・・・第１の制御基板カバー、  １５・・・第２の制御基板カバー、  １６・・・開口部、  １７・・・取り付け部、  １８・・・突起、  １９・・・連結部
【図１】
2008297939.tif 000003
【図２】
2008297939.tif 000004
【図３】
2008297939.tif 000005